(57)【要約】【課題】本発明は、布等の生地材の繊維組織が爪体により破断されて装飾部品本体が引きちぎられたり、被着者が爪体により外傷が付くことなく、裏生地を布地に張設せずに済み、また装飾部品本体を布生地に脱落することなく簡単な取扱操作により構造堅牢に取付け、色彩、形状の変化に富んでデザイン性が豊かであり、構造簡単で製作が容易になす。【解決手段】金属板によりなる被着金具１の基体部２の上面に設ける複数の爪体３を布等の生地材４に挿着して爪体の先端側を折曲して被着金具を生地材に取付ける服飾用装飾部品にして、人造真珠、人造宝石、ビーズ等の適宜形状の装飾部品本体５,５′,５″を生地材の表面に、被着金具を生地材の裏面に配設し、爪体を生地材を介して装飾部品本体に挿着することにより装飾部品本体に被着金具を取付けて装飾部品本体と被着金具とで生地材を挟着する。【選択図】図１
2007050063.tif 000002
【特許請求の範囲】
【請求項１】
金属板により適宜形状に形成された被着金具の基体部の上面に周分して設ける複数の爪体を布等の生地材に挿着して該爪体の先端側を折曲することにより前記被着金具を前記生地材に取付ける服飾用装飾部品を使用するものにして、
人造真珠、人造宝石、ビーズ、微細な模様や凹凸にめっき、塗装、印刷を施した適宜形状をなした装飾部品本体を前記生地材の表面に配設し、
該装飾部品本体に対向して前記被着金具を前記生地材の裏面に配設し、
前記爪体を前記生地材を介して前記装飾部品本体に挿着することにより前記装飾部品本体に前記被着金具を取付けて装飾部品本体と前記被着金具とで前記生地材を挟着することを特徴とする服飾用装飾部品の取付金具。
【請求項２】
前記装飾部品本体が、台座板の上面に保持されることを特徴とする請求項１に記載の服飾用装飾部品の取付金具。
【請求項３】
前記装飾部品本体または／および前記台座板は、前記爪体が挿入可能な硬さの合成樹脂により形成されることを特徴とする請求項１または２に記載の服飾用装飾部品の取付金具。
【請求項４】
前記爪体は、前記装飾部品本体と前記被着金具とに加圧力を対向する方向に加えることにより前記装飾部品本体内に挿入されながら挿入時の抵抗力を受けて折曲されることを特徴とする請求項１〜３のいずれか１の請求項に記載の服飾用装飾部品の取付金具。
【請求項５】
前記装飾部品本体または／および前記台座板は、前記爪体が挿入不可能な硬さを有する金属、または合成樹脂等の剛性材により形成されて内部中心に設けられた芯体と、前記爪体が挿入可能な硬さを有する合成樹脂により形成されて前記芯体の外周を包設する外包体とによりなる二重中実構造に構成され、前記被着金具の前記装飾部品本体に対する取付時に爪体が前記芯体に衝突してから該芯体の外形面に倣って曲げ加工が施されることを特徴とする請求項１〜３のいずれか１の請求項に記載の服飾用装飾部品の取付金具。
【請求項６】
前記装飾部品本体に、表面側は前記爪体が挿入可能な小径孔部をなし、内部には該小径孔部を中心に前記爪体を外向きに折曲する断面が放射方向上向きの折曲強制孔部を連設した爪取付孔が開設されたことを特徴とする請求項１〜３のいずれか１の請求項に記載の服飾用装飾部品の取付金具。
【発明の詳細な説明】
【技術分野】
【０００１】
本発明は服飾用装飾部品の取付金具に関し、例えばジャケツト、シャツ、コート、ズボン、スカート等のアウター製品、また、女性用下着としてのブラジャー、キャミソール、スリップ等やその肩紐、或いはスカーフ、バッグ、ベルト、靴等の服飾品であるとか、またカーテン、テーブルクロス等のインテリア製品、さらにはアクセサリー製品に装飾部品を生地材の繊維組織を破断することなく、しかも膚に外傷を付けることなく、簡単かつ構造堅牢に取付けるのに最適に使用される。
【背景技術】
【０００２】
従来、例えばジャケツト、シャツ、ズボン、スカート等の服飾製品の布等の柔軟な生地材に取付けられる服飾用装飾部品の取付金具として、金属板により形成されて適宜形状の基体部の上面に複数の爪体を周分して設けた被着金具があり、該爪体を生地材の表面から生地材に挿入して裏面側へ突出させ、該爪体の先端部を内方へ折曲することにより生地材の表面に被着金具を取付けることにより装飾性をもたせたものである。
【０００３】
また、ほかの従来例として、ボタンベースの表面を布地等のカバーシートで覆い、その余幅をボタンベースの裏側に折り返し、折り返したカバーシートの上からボタンキャップをボタンベースの裏側の凹部に嵌着するくるみボタンであって、取付部材の係止部をくるみボタンの係合孔内に係合する構成によりくるみボタンを布等の被取付体に取付けるようにしたものがある（例えば、特許文献１参照。）。
【０００４】
ところで、装身具、例えばネックレス、ブレスレッドでは、例えば天然の真珠、サンゴ、貴石等の宝玉を数珠状に連結するのに、宝玉に通孔を直径方向に貫通し、この通孔内に通し糸を挿通することにより宝玉を相互に連結し、しかも、通し糸の両端にはクラスプ等の連結金具を連結可能に装着していた（例えば、特許文献２参照。）。
【０００５】
また、例えばジャケツト、シャツ、ズボン、スカート等の服飾製品に、装飾性を向上するために、天然の真珠、貴石等の宝玉を取付るのは、非常に高価であり、採算が採れないのと、多量の入手が容易ではないので、廉価に同一製品が多量に入手可能な人造真珠やガラス製または合成樹脂製のビーズ等の装飾部品が用いられ、この装飾部品に設けられた通孔内に通し糸を挿通して布等に縫付ける等して装飾部品を布に取付けていた。
【特許文献１】特開平９−３１３２１４号公報
【特許文献２】特開平１１−１３７３１４号公報
【発明の開示】
【発明が解決しようとする課題】
【０００６】
しかしながら、被着金具に周分した複数の爪体を布等の生地材の表面から生地材に挿入して裏面に突出した該爪体の先端部を内方へ折曲する構成により生地材の表面に被着金具を取付けて装飾性をもたせた上記従来の服飾用装飾部品は、爪体が生地材の裏面に折曲された状態で露出されるので、服飾品を着用した場合に、被着金具に押圧力が加わったり、または、引張力が加わる等して過度の負担が加わると、布等の生地材の繊維組織が爪体により破断され、服飾用装飾部品は引きちぎられ、装飾部品の取付が脆弱になっていた。
【０００７】
また、布等の生地材の裏面に被着金具の爪体が折曲された状態で露出されるので、服飾品を着用すると、被着者が爪体により外傷が付き危険であり、違和感を覚えることがあった。そして、生地材の裏面に裏生地を張設することにより裏生地によって爪体との接触を防いで外傷が付くのを防止している。
【０００８】
また、爪体を折曲げることにより生地材の表面に取付けられた上記従来の被着金具は、金属板により被着金具が形成されているので、形成材料自体が帯びる金属色だけしか、発揮することができず、冷たい風合いであり、デザイン性に乏しかった。
【０００９】
次いで、ボタンベースの表面を布地等のカバーシートで覆い、カバーシートの余幅をボタンベースの裏側に折り返し、取付部材の係止部をくるみボタンの係合孔内に係合することにより布等の被取付体に取付けられる特許文献１に記載の上記従来のくるみボタンは、ボタンベースの表面を布地等のカバーシートにより覆うくるみボタンであるので、同様にデザイン的に単純であり、デザイン性に乏しかった。
【００１０】
さらに、通し糸を通孔に挿通することにより布等の生地材に通し糸により縫着される人造真珠、ビーズ等の装飾部品を例えばジャケツト、シャツ、ズボン、スカート等の生地材に取付ける方法は、経時の使用による摩耗や洗濯により通し糸が何らかの原因により切断されると、一連の装飾部品が一緒に生地材から脱落してしまう欠点がある。
【００１１】
本発明は上記課題に鑑みなされ、布等の生地材の繊維組織が爪体により破断されて装飾部品本体が引きちぎられたり、被着者が爪体により外傷が付くことなく安全であり、裏生地を布等の生地材に張設せずに済み、また装飾部品本体を布生地に脱落することなく簡単な取扱操作により構造堅牢に取付けることができ、しかも、色彩、形状の変化に富んでデザイン性が豊かであり、さらには構造簡単で製作が容易になり、製作コストも安価な服飾用装飾部品の取付金具を提供することを目的とする。
【課題を解決するための手段】
【００１２】
本発明の請求項１に記載の発明は、
金属板により適宜形状に形成された被着金具の基体部の上面に周分して設ける複数の爪体を布等の生地材に挿着して該爪体の先端側を折曲することにより前記被着金具を前記生地材に取付ける服飾用装飾部品を使用するものにして、
人造真珠、人造宝石、ビーズ、微細な模様や凹凸にめっき、塗装、印刷を施した適宜形状をなした装飾部品本体を前記生地材の表面に配設し、
該装飾部品本体に対向して前記被着金具を前記生地材の裏面に配設し、
前記爪体を前記生地材を介して前記装飾部品本体に挿着することにより前記装飾部品本体に前記被着金具を取付けて装飾部品本体と前記被着金具とで前記生地材を挟着することを特徴とする。
【００１３】
また、本発明の請求項２に記載の発明は、請求項１において、前記装飾部品本体が、台座板の上面に保持されることを特徴とする。
【００１４】
また、本発明の請求項３に記載の発明は、請求項１または２において、前記装飾部品本体または／および前記台座板は、前記爪体が挿入可能な硬さの合成樹脂により形成されることを特徴とする。
【００１５】
また、本発明の請求項４に記載の発明は、請求項１〜３のいずれか１の請求項において、前記爪体は、前記装飾部品本体と前記被着金具とに加圧力を対向する方向に加えることにより前記装飾部品本体内に挿入されながら挿入時の抵抗力を受けて折曲されることを特徴とする。
【００１６】
また、本発明の請求項５に記載の発明は、請求項１〜３のいずれか１の請求項において、前記装飾部品本体または／および前記台座板は、前記爪体が挿入不可能な硬さを有する金属、または合成樹脂等の剛性材により形成されて内部中心に設けられた芯体と、前記爪体が挿入可能な硬さを有する合成樹脂により形成されて前記芯体の外周を包設する外包体とによりなる二重中実構造に構成され、前記被着金具の前記装飾部品本体に対する取付時に爪体が前記芯体に衝突してから該芯体の外形面に倣って曲げ加工が施されることを特徴とする。
【００１７】
また、本発明の請求項６に記載の発明は、請求項１〜３のいずれか１の請求項において、前記装飾部品本体に、表面側は前記爪体が挿入可能な小径孔部をなし、内部には該小径孔部を中心に前記爪体を外向きに折曲する断面が放射方向上向きの折曲強制孔部を連設した爪取付孔が開設されたことを特徴とする。
【発明の効果】
【００１８】
本発明は、布等の生地材の繊維組織が爪体により破断されて装飾部品本体が引きちぎられたり、被着者が爪体により外傷が付くことなく安全であり、裏生地を布等の生地材に張設せずに済み、また装飾部品本体を布生地に脱落することなく簡単な取扱操作により構造堅牢に取付けることができ、しかも、色彩、形状の変化に富んでデザイン性が豊かであり、さらには構造簡単で製作が容易になり、製作コストも安価な服飾用装飾部品の取付金具を提供することを目的とする。
【発明を実施するための最良の形態】
【００１９】
以下、本発明の最良の実施形態を図面に従って詳細を説明する。
【００２０】
図１は本発明の服飾用装飾部品の取付金具の実施形態１の使用状態を示す拡大断面図、図２は同じく使用状態の表面図、図３は同じく裏面図、図４は同じく本実施形態１を構成する被着金具の一例を示す拡大斜視図、図５は同じく被着金具を生地材を介して装飾部品本体に取付けるのに使用するプレス機の一例を示す側面図、図６は同じくプレス機で使用する上部駒体と下部駒体とにより装飾部品本体に被着金具を取付ける状態を示す拡大断面図である。
【００２１】
本実施形態１の服飾用装飾部品の取付金具は、金属板により適宜形状に形成された被着金具１の基体部２の上面に周分して設ける複数の爪体３を布等の生地材４に挿着して該爪体３の先端側を折曲することにより前記被着金具１を前記生地材４に取付ける服飾用装飾部品を使用するものにして、人造真珠、人造宝石、ビーズ、微細な模様や凹凸にめっき、塗装、印刷を施した適宜形状をなした装飾部品本体５を前記生地材４の表面に配設し、該装飾部品本体５に対向して前記被着金具１を前記生地材４の裏面に配設し、前記爪体３を前記生地材４を介して前記装飾部品本体５に挿着することにより前記装飾部品本体５に前記被着金具１を取付けて装飾部品本体５と前記被着金具１とで前記生地材４を挟着することを特徴とする。
【００２２】
前記被着金具１を形成する金属としては、本実施形態１では、硬度と、防錆と、加工を容易にするために例えば真鍮が最適に使用されるが、ステンレス等でもよい。この被着金具１の大きさは、例えば後記基体部２の直径φが３ｍｍ、４．５ｍｍ、５．５ｍｍ・・・等の規格化された相似形状のものが複数個が用意される。
【００２３】
前記基体部２は、その底面形状が適宜形状をなし、例えば図示するように丸形、楕円形、四角形、菱形、矩形、台形、菱形、その他の多角形、ハート形、星形をなし、自由である。また、断面形状は、例えば底面形状が丸形である場合には、伏椀状であることが好ましい。このように、基体部２を伏椀状に形成するのは、被着者の膚に基体部２が接触する場合に、基体部２は抵抗なく円滑に滑動して違和感を覚えず、膚に外傷が付くのを防止するためである。
【００２４】
前記爪体３は、本実施形態１では図４に示すように４個が周分して設けられるが、これに限ることなく、２個以上の複数個であればよい。また、爪体３はその正面形状が尖鋭な三角形、また、鑓形等自由に選定されるが、爪体３の長さｌは、基体部２の直径φが３ｍｍの場合は約２ｍｍ、基体部２の直径φが４．５ｍｍの場合は約２．５ｍｍであり、また、基体部２の直径φが５．５ｍｍの場合は３．５ｍｍである。これらの数値は代表的な例示であり、限定されない。
【００２５】
また、前記生地材４は、主として柔軟性を有するものが使用され、例えば服飾用装飾品が、ジャケツト、シャツ、コート、ズボン、スカート等のアウター製品、また、女性用下着としてのブラジャー、キャミソール、スリップやそれ等の肩紐、或いはスカーフ、帽子、バッグ、ベルト、時計ベルト、靴等の服飾品、また、靴の中敷、携帯電話のストラップ等があり、また服飾用装飾品が、インテリア製品である場合には例えばカーテン、テーブルクロス、或いはフォトフレームの外装材、造花等があり、さらにアクセサリー製品等である場合には、本実施形態１では例えば布、皮革、人造皮革、紙、合成樹脂のように柔軟性を有する素材が使用されるが、柔軟性を有する素材のほかに例えば薄手の硬質合成樹脂板、または当該合成樹脂板にて形成される包装材や物品収納ケース等が最適に使用される。前記布は、例えば天然繊維、または合成繊維、さらには半合成繊維にて織成されたり、または、編成されるものであれば如何なるものでもよく、例えば装飾部品本体５を取付けるのが、ジャケツト、シャツ、コート、ズボン、スカート等のアウター製品、また、女性用下着としてのブラジャー、キャミソール、スリップ、さらにはスカーフであるとするならば、布の組織糸が細い、例えば絹、木綿であるとか、さらには、柔軟なニットである場合に、経時の使用による摩耗や洗濯により繊維が切断することなく、装飾部品本体５は引きちぎれて脱落することなく、装飾部品本体５を取付けるのに構造堅牢に取付けることができ、有意義であり、かつ最適である。
【００２６】
また、前記装飾部品本体５は、前記爪体３が挿入可能な硬さの合成樹脂、例えばＡＢＳ樹脂、ＡＣＳ樹脂により形成される。この装飾部品本体５は、本実施形態１をしては、図示するように球形の人造真珠が使用されるが、その外形状はこれに限ることなく適宜形状をなして表面には微細な模様や凹凸にめっきが施されるほか、塗装、印刷を施す等したものが使用される。
【００２７】
また、前記装飾部品本体５を前記被着金具１を用いて生地材４に取付けるのには、装飾部品本体５を生地材４の表面に配設し、また、前記被着金具１を生地材４の裏面に配設してから前記装飾部品本体５と前記被着金具１とに加圧力Ｆ,Ｆ′を対向する方向に加えることにより前記爪体３は前記装飾部品本体５内に挿入されながら挿入時の抵抗力を受けて装飾部品本体５内を内方に折曲され、装飾部品本体５と前記被着金具１とで前記生地材４を挟着して装飾部品本体５を被着金具１を用いて生地材４に取付ける。
【００２８】
また、装飾部品本体５と被着金具１とに加圧力Ｆ,Ｆ′を対向する方向に加えるのは、例えば図５，図６に示すようなプレス機Ｐと、該プレス機Ｐの後記棒状押圧部１２の下面に装飾部品本体５を保持して着脱自在に設けられる上部駒体６と、該上部駒体６の移動軌跡に対応して前記プレス機Ｐの基台部８上に設置されて前記爪体３を上方に向けた状態で被着金具１を保持する下部駒体７とを用いて前記装飾部品本体５と前記被着金具１とに加圧力Ｆ,Ｆ′を対向する方向に加えることにより前記装飾部品本体５を前記被着金具１を用いて生地材４に取付ける。
【００２９】
前記プレス機Ｐは、例えば基台部８を有するプレス機本体９と、該プレス機本体９に一端を軸１１にて枢着することにより他端を把持して回動可能に設けられるとともに中間部には棒状押圧部１２を突設した作動杆１０と、該棒状押圧部１２の下面に設けられた雌ねじ部１３とにより形成される。
【００３０】
また、上部駒体６は、前記プレス機Ｐの前記雌ねじ部１３内に着脱可能に螺合される雄ねじ部１４と、該雄ねじ部１４の下部に設けられる鍔状部１５と、該鍔状部１５の下部に設ける小径な押圧部１６と、合成樹脂柔軟材または合成ゴムにより該押圧部１６よりも長寸の管状に形成され、上方部が該押圧部１６に嵌着されて下方空洞部１７ａ内に例えば人造真珠等よりなる装飾部品本体５を嵌脱可能に嵌入する管状保持材１７とにより形成される。
【００３１】
また、前記下部駒体７は、前記プレス機Ｐの基台部８上に設けた位置決めピン８ａに着脱自在に嵌着され、中間部外周には鍔部１８ａが設けられた柱状支持部材１８と、全体形状が略有天筒状をなし、該柱状支持部材１８の上方部に軸方向に摺動可能に遊嵌されて前記鍔部１８ａとの間に介装されるばね材１９により常時上方に附勢されるとともに前記柱状支持部材１８の上方部外周に直径方向に突設したストッパピン１８ｂ,１８ｂが摺動自在に挿入される孔部２０ａ,２０ａが外周に設けられ、上面中央には前記柱状支持部材１８の上面中央に突設した押上ロッド１８ｃが押上げまたは押下げ可能に挿入される被着金具１の保持孔２０ｂが設けられた保持体２０とにより形成される。
【００３２】
また前記上部駒体６は、下方空洞部１７ａ内に挿入し、保持される装飾部品本体５の外形状、大きさに合わせて管状保持材１７の下方空洞部１７ａの内形状、大きさが異なる複数種が用意され、装飾部品本体５に合わせて交換可能に選択使用される。
【００３３】
また、前記下部駒体７は、保持孔２０ｂ内に挿入される被着金具１の外形状、大きさに合わせて保持孔２０ｂの内形状、大きさが異なる複数種が用意され、被着金具１に合わせて交換可能に選択使用される。
【００３４】
そして、装飾部品本体５を前記被着金具１を用いて生地材４に取付けるという取付操作を行うのには、先ず下部駒体７に対する被着金具１の保持と、上部駒体６に対して装飾部品本体５を保持するという準備操作とを行う。
【００３５】
このうち、上部駒体６に対して装飾部品本体５を保持するには、合成樹脂柔軟材または合成ゴムにより形成された管状保持材１７の下方空洞部１７ａ内に例えば人造真珠等よりなる装飾部品本体５を嵌入し、保持する。
【００３６】
また、下部駒体７の保持孔２０ｂに対する被着金具１の保持は、爪体３を上向きにした状態で被着金具１を下部駒体７の保持孔２０ｂ内に挿入し、保持することにより準備操作を行う。
【００３７】
このようにして準備操作を行った後に上部駒体６と下部駒体７との間に例えば布、皮革、人造皮革、紙等の柔軟性を有するほか、薄手の硬質合成樹脂板、または該合成樹脂板で形成される各種製品、例えば包装材や物品収納ケース等の生地材４を挿入し、配置する。
【００３８】
その後、図５に示すように、プレス機Ｐの作動杆１０の一端を把持して押下げると、この作動杆１０は他端が枢着されている軸１１を中心に矢印Ｑ方向へ回動されるので、この作動杆１０に設けた棒状押圧部１２の下面に着脱可能に取付けられて管状保持材１７内に装飾部品本体５を保持している上部駒体６が、プレス機Ｐの基台部８に支持され、保持孔２０ｂ内に上向きの爪体３を有する被着金具１を保持している下部駒体７に対向方向に移動されて行く。
【００３９】
そして、プレス機Ｐの基台部８に支持された下部駒体７の保持孔２０ｂ内に保持されている被着金具１の上向きの爪体３に、作動杆１０の棒状押圧部１２の下面に着脱可能に取付けた上部駒体６の管状保持材１７内に保持されている装飾部品本体５が突き当たる。それから、装飾部品本体５と前記被着金具１とに加圧力Ｆ,Ｆ′をなお対向する方向に加えて行くと、棒状押圧部１２による上部駒体６の押圧によりばね材１９の附勢力に抗して下部駒体７の柱状支持部材１８に対して保持体２０は孔部２０ａ,２０ａ内をストッパピン１８ｂ,１８ｂが移動、案内することで降下し、被着金具１の数個の爪体３が柔軟性を有する生地材４に貫通する。
【００４０】
その後、作動杆１０の押し下げを続行して装飾部品本体５と被着金具１とに加圧力Ｆ,Ｆ′を対向する方向に加えて行くと、ばね材１９の附勢力に抗して保持体２０を押下げるのに伴う押上げロッド１８ｃの突き上げにより被着金具１には装飾部品本体５に対して対向方向に一層強い加圧力Ｆ,Ｆ′が作用するので、複数個の爪体３は装飾部品本体５内に挿入されて行く。そして、この爪体３は装飾部品本体５に対して挿入時の抵抗力を受けて装飾部品本体５内において内方に折曲され、装飾部品本体５と被着金具１とで生地材４は挟着されるとともに装飾部品本体５を被着金具１を用いて生地材３に取付けることができる（図１参照）。このような手順操作を繰り返して行うことにより図２，図３に示すような所望個数の装飾部品本体５よりなる所望の模様図柄を形成することができ、デザイン性を高めることができる。
【００４１】
それから、作動杆１０を旧位に復し、装飾部品本体５を被着金具１を用いて生地材３に取付けるという取付操作を終える。なお、上記説明では、装飾部品本体５と被着金具１とをプレス機Ｐを用いて対向方向の加圧力Ｆ,Ｆ′を加えることにより被着金具１の爪体３を装飾部品本体５に挿着して爪体３の先端側を折曲するようにしたけれども、要はプライヤー、ペンチ等の工具を用いて対向方向の加圧力Ｆ,Ｆ′を加えることにより被着金具１の爪体３を装飾部品本体５に挿着して爪体３の先端側を折曲しても良い。
【００４２】
そして、本実施形態１では、生地材４の下面に配置される被着金具１の基体部２の上面に周分して上向きに設けた複数の爪体３が布等の生地材４を貫通し、爪体３は先端側が生地材４の上面に配設される人造真珠等の装飾部品本体５内に挿入される。しかも、爪体３は装飾部品本体５に対して挿入時の抵抗力を受けて装飾部品本体５内において内方に折曲されるので、不用意に爪体３が装飾部品本体５および生地材４から抜け出すことなく、装飾部品本体５と被着金具１とで生地材４を挟着するとともに装飾部品本体５を被着金具１を用いて生地材４に構造堅牢に取付けることができる（図１参照）。
【００４３】
しかも、複数個の爪体３は生地材４の表面側に配設した装飾部品本体５下方から挿着され、生地材４は該生地材４の裏面側に配設された被着金具１の基体部２とで爪体３を中心として広い接触面積により上下から挟着されるので、布等の生地材４の繊維組織が爪体３により破断されて装飾部品本体５が生地材４から引きちぎられることなく、構造堅牢に装飾部品本体５は生地材４に取付けられる。
【００４４】
従って、生地材の表面に被着金具を取付けて装飾性をもたせた従来の服飾用装飾部品では、爪体が生地材の裏面に折曲された状態で露出されることにより、服飾品を着用する等して被着金具に押圧力が加わったり、引張力が加わる等して過度の負担が加わった場合に、布等の生地材の繊維組織が爪体により破断され、服飾用装飾部品が引きちぎられたり、また、服飾品を着用すると、布等の生地材の裏面に露出される爪体により被着者が爪体により外傷が付くのとは異なり、本実施形態１では生地材４の裏面に配置される被着金具１の爪体３が生地材４の表面側に配置される装飾部品本体５内に挿着され、外部には露出しないので、被着者の膚に爪体３が接触して外傷が付くのが防止されるため、安全である。
【００４５】
しかも、人造真珠、ビーズ等の装飾部品本体に設けた通孔に通し糸を挿通することにより布等の生地材に通し糸により縫着される従来の方法とは異なり、生地材４に通し糸を用いずに装飾部品本体５を被着金具１を用いて取付けることができるので、経時の使用による摩耗や洗濯により通し糸が何らかの原因により切断されるおそれがなくなり、一連の装飾部品本体５が一緒に生地材から脱落することはない。
【００４６】
また、生地材４の裏面側に配置された被着金具１の基体部２は、その底面形状が適宜形状をなし、例えば図示するように丸形、また、図には示さないが、楕円形、四角形、菱形、矩形、台形、その他の多角形、ハート形、星形、菱形等、自由であり、また、基体部２の断面形状は、例えば底面形状が丸形である場合に、伏椀状に形成されるので、被着者の膚に基体部２が接触する場合に抵抗がなく、円滑に滑動するため、違和感を覚えることない。しかも、被着者は膚に外傷が付くのが防止され、安全である。このため、生地材４の裏面に図には示さない裏生地を張設する必要がなくなり、その工程、手間、裏生地等の部品を省くことができる。
【００４７】
また、生地材の裏面側に爪体が折曲げられることにより被着金具が生地材の表面に取付けられて金属色だけを発揮する上記従来の服飾用装飾部品の取付金具であるとか、または、ボタンベースの表面を布地等のカバーシートで覆い、カバーシートの余幅をボタンベースの裏側に折り返し、取付部材の係止部をくるみボタンの係合孔内に係合することにより布等の被取付体に取付けられる特許文献１に記載の上記従来のくるみボタンとは異なり、本実施形態１の服飾用装飾部品の取付金具では、生地材４の裏面側に配置する被着金具１の複数の爪体３が挿着される装飾部品本体５は、生地材４の表面側に配置されているので、装飾部品本体５が図示するように球形の人造真珠であるほか、外形状は球形に限ることなく適宜形状に形成されるもので良く、しかも表面が微細な模様や凹凸にめっきを施す等するほか、塗装、印刷を施したものが使用されるため、デザイン的に変化があり、デザイン性に富む。
【００４８】
図７に示すものは、本発明の服飾用装飾部品の取付金具の実施形態２を示し、この実施形態２では、装飾部品本体５′は、前記実施形態１と同様に人造真珠であり、この装飾部品本体５′は、爪体３が挿入不可能な硬さを有する金属、硬質合成樹脂等の剛性材により形成されて内部中心に設けられた球形の芯体３０Ａと、前記爪体３が挿入可能な硬さを有する合成樹脂により形成されて前記芯体３０Ａの外周を包設する外包体３０Ｂとによりなる二重中実構造に構成される。そして、前記被着金具１の前記装飾部品本体５′に対する取付時に爪体３は剛性材により形成された前記芯体３０Ａに衝突してから該芯体３０Ａの外形面に倣って滑動されることにより曲げ加工が施されることを特徴とする。また、芯体３０Ａは、基体部２に周分して設けられる前記爪体３,３相互の設置幅よりも径大に形成されて装飾部品本体５′に爪体３が挿着されて行くことにより、爪体３が適格に衝突し易くする。しかも、この芯体３０Ａを構成する前記金属としては、例えばスチール、ステンレスがある。また、外包体３０Ｂを構成する合成樹脂としては、前記実施形態１の装飾部品本体５と同様に例えば爪体３が挿入可能な硬さの合成樹脂、例えばＡＢＳ樹脂、ＡＣＳ樹脂が最適に使用される。
【００４９】
そして、この本実施形態２では、装飾部品本体５′を被着金具１を用いて生地材４に取付ける取付操作を行うのに、前記実施形態１と同様に、先ず下部駒体７による被着金具１の保持と、上部駒体６による装飾部品本体５′を保持する準備操作とを行ってから、プレス機Ｐを用いて装飾部品本体５′と被着金具１とに加圧力Ｆ,Ｆ′を対向する方向に加えて装飾部品本体５′内に複数の爪体３を挿入して行くが、前記実施形態１では複数の爪体３を折曲加工するのに、挿入時の抵抗力を受けて爪体３は装飾部品本体５内において内方に折曲されるのとは異なり、本実施形態２では被着金具１の装飾部品本体５′に対する取付時に爪体３が剛性材により形成される前記芯体３０Ａに衝突してから該芯体３０Ａの外形面に倣って滑動することにより外側に曲げ加工が施されるので、装飾部品本体５′と被着金具１とで布、皮革、人造皮革、紙、合成樹脂のように柔軟性を有するほか、薄手の硬質合成樹脂板よりなる各種製品、例えば包装材や物品収納ケース等の生地材４は挟着されるとともに装飾部品本体５′を被着金具１を用いて生地材４に取付けるようにした。しかも、この実施形態２では装飾部品本体５′に対する被着金具１の取付後においては、爪体３が芯体３０Ａを抱持して外側に折曲げられる格好に装飾部品本体５′内に挿着されるので、引張り力または圧縮力に対して爪体３が装飾部品本体５′から抜け出すことなく、前記実施形態１よりも大きな強度にて装飾部品本体５′を取付けることができる点が前記実施形態１とは異なるほかは、前記実施形態１と同様の構成、作用である。
【００５０】
また、図８に示すものは本発明の実施形態３であり、この実施形態３では、装飾部品本体５に、表面側が前記爪体３が挿入可能な小径孔部４０Ａをなし、内部には該小径孔部４０Ａを中心に前記爪体３を外向きに折曲する断面が放射方向上向きの折曲強制孔部４０Ｂを連設した爪取付孔４０が開設された点が前記実施形態１、および前記実施形態２とは異なる構成であり、プレス機Ｐを用いて装飾部品本体５と被着金具１に加圧力Ｆ,Ｆ′を対向する方向に加えて装飾部品本体５の爪取付孔４０の小径孔部４０Ａ内に爪体３を挿入し、次いでこの爪取付孔４０内に小径孔部４０Ａを中心に断面が放射方向上向きに連設された折曲強制孔部４０Ｂにより爪体３の先端部を強制的に外側に折曲することにより装飾部品本体５と被着金具１とで生地材４を挟着するとともに装飾部品本体５を被着金具１を用いて生地材４に取付けるようにした作用・効果があるほかは前記実施形態１、および実施形態２と同様の構成、作用・効果である。なお、この実施形態３では、爪体３の折曲角度α、および爪体３の折曲長さは小径孔部４０Ａを中心に断面が放射方向上向きに連設された折曲強制孔部４０Ｂの設置角度や長さを加減することにより容易に調整される。
【００５１】
さらに、図９に示すものは、本発明の第４実施形態であり、この実施形態４では、装飾部品本体５″がガラス等により形成された人造宝石、またはガラス玉、ビーズ等の硬質材により形成される場合に最適に使用されるものであり、該装飾部品本体５″を上面に保持する台座板５０を被着金具１の前記爪体３が挿入可能な硬さの合成樹脂、例えばＡＢＳ樹脂やＡＣＳ樹脂により形成する構成により、被着金具１の装飾部品本体５″に対する取付時に爪体３が台座板５０内に挿着されることにより爪体３は挿入時の抵抗力を受けて内方に折曲され、装飾部品本体５″を支持する台座板５０と被着金具１とで生地材４は挟着されるとともに装飾部品本体５″を被着金具１を用いて生地材４に取付けるようにしたほかは前記実施形態１、実施形態２、実施形態３と同様の構成、作用・効果を奏する。
【００５２】
さらに、前記実施形態１、実施形態２、実施形態３では、装飾部品本体５,５′と被着金具１とで爪体３を装飾部品本体５,５′内に挿着することにより、装飾部品本体５,５′と被着金具１とで生地材４を挟着し、また、実施形態４では装飾部品本体５″を取付ける台座板５０内に爪体３を挿着することにより、台座板５０と被着金具１とで生地材４を挟着する場合を代表的に説明したけれども、被着金具１は装飾部品本体５,５′；５″または／および台座板５０と協同して生地材４に装飾部品本体５,５′；５″を取付けるのに使用が限られることなく、前述のような操作手順により爪体３を装飾部品本体５,５′,５″内に挿着することにより被着金具１により装飾部品本体５,５′,５″の装飾性とデザイン的な変化を一層有効に発揮する場合にも使用することもできる。
【産業上の利用可能性】
【００５３】
本発明は、布等の生地材の繊維組織が爪体により破断されて装飾部品本体が引きちぎられたり、被着者が爪体により外傷が付くことなく安全であり、裏生地を布地の裏面に張設せずに済み、また装飾部品本体を布生地に脱落することなく簡単な取扱操作により構造堅牢に取付けることができ、しかも、色彩、形状の変化に富んでデザイン性が豊かになり、さらには構造簡単で製作が容易になり、製作コストも安価になるという用途・機能に適する。
【図面の簡単な説明】
【００５４】
【図１】図１は本発明の服飾用装飾部品の取付金具の実施形態１の使用状態を示す拡大断面図である。
【図２】図２は同じく使用状態の表面図である。
【図３】図３は同じく同じく裏面図である。
【図４】図４は同じく本実施形態１を構成する被着金具の一例を示す拡大斜視図である。
【図５】図５は同じく被着金具を生地材を介して装飾部品本体に取付けるのに使用するプレス機の一例を示す側面図である。
【図６】図６は同じくプレス機で使用する上部駒体と下部駒体とにより装飾部品本体に被着金具を取付ける状態を示す拡大断面図である。
【図７】図７は同じく本発明の服飾用装飾部品の取付金具の実施形態２の使用状態を示す拡大断面図である。
【図８】図８は同じく本発明の服飾用装飾部品の取付金具の実施形態３の使用状態を示す拡大断面図である。
【図９】図９は同じく本発明の服飾用装飾部品の取付金具の実施形態４の使用状態を示す拡大断面図である。
【符号の説明】
【００５５】
１      被着金具
２      基体部
３      爪体
４      生地材
５      装飾部品本体
５′    装飾部品本体
５″    装飾部品本体
６      上部駒体
７      下部駒体
８      基台部
３０Ａ  芯体
３０Ｂ  外包体
４０    爪取付孔
５０    台座板
Ｆ      加圧力
Ｆ′    加圧力
Ｐ      プレス機
【図１】
2007050063.tif 000003
【図２】
2007050063.tif 000004
【図３】
2007050063.tif 000005
【図４】
2007050063.tif 000006
【図５】
2007050063.tif 000007
【図６】
2007050063.tif 000008
【図７】
2007050063.tif 000009
【図８】
2007050063.tif 000010
【図９】
2007050063.tif 000011